(57)【特許請求の範囲】
【請求項１】
エレベータの昇降路内に立設されたガイドレールと、
ガイドレールの上端部にレールクリップおよびボルトを介して固定された支持部材と、
前記支持部材に設けられたカゴ吊用穴と、
前記カゴ吊用穴に着脱自在に設けられたカゴ吊具と、
を備え、
前記支持部材は、
前記ガイドレールの上端部に固定された支持ブラケットと、
前記支持ブラケットに固定されたコの字金具と、により構成され、
前記支持ブラケットは、前記ガイドレールの上端部の上方で直角に曲げられた上端湾曲部を有し、
前記コの字金具は、前記上端湾曲部と前記ガイドレールとの間で、前記上端湾曲部内の前記ガイドレールの上端部と向き合う面において、前記ガイドレールを覆うように前記支持ブラケットに固定されるとともに、両側フランジ部に前記カゴ吊用穴を有することを特徴とするエレベータのカゴ固定装置。
【請求項２】
前記コの字金具は、溶接またはボルトにより前記支持ブラケットに固定されたことを特徴とする請求項１に記載のエレベータのカゴ固定装置。
【請求項３】
前記支持ブラケットは、前記ガイドレールの背面と接する側の前記コの字金具との対向面に貫通穴を有し、
前記コの字金具は、前記両側フランジ部の一端において前記貫通穴に係合するフック部を有し、前記フック部を前記貫通穴に係合させることにより、前記支持ブラケットに固定されたことを特徴とする請求項１に記載のエレベータのカゴ固定装置。
【請求項４】
前記支持部材は、下端部において、前記ガイドレールとの対向側とは逆方向に直角に曲げられた曲折部を有することを特徴とする請求項１から請求項３までのいずれか１項に記載のエレベータのカゴ固定装置。
【発明の詳細な説明】
【技術分野】
【０００１】
この発明は、エレベータの据付時や改修時などにおけるエレベータのカゴ固定装置に関し、特に、エレベータの昇降路内に配置されたガイドレールの上端部付近においてガイドレールに取り付けられる支持部材の構造に関するものである。
【背景技術】
【０００２】
従来から、エレベータの据付時や改修時などにおけるエレベータのカゴ固定装置として、たとえば、特許文献１に記載の技術が提案されている。
上記特許文献１に記載の従来装置においては、エレベータのガイドレールにカゴ吊用穴を加工する必要があり、カゴ設置時に手間と時間がかかる。
【０００３】
また、カゴ吊用穴が加工されていない通常のガイドレールと区別して管理するための手間も必要としている。さらに、既設のエレベータを、ガイドレールを流用して改修する場合において、既設のガイドレールにカゴ吊用穴が無い場合には、現地でガイドレールにカゴ吊用穴を追加加工する必要があり、多くの手間と時間を要することになる。
【先行技術文献】
【特許文献】
【０００４】
【特許文献１】特開２００２−２００５７号公報
【発明の概要】
【発明が解決しようとする課題】
【０００５】
従来のエレベータのカゴ固定装置は、エレベータの据付時や巻上ロープ交換時に、巻上ロープ以外のワイヤなどでエレベータのカゴを吊る場合、揚重用の梁を利用するか、またはガイドレールに直接加工されたカゴ吊用穴を利用する必要があり、多大な労力を要するという課題があった。
【０００６】
この発明は、上記のような課題を解決するためになされたものであり、カゴ吊用穴をガイドレールに加工する必要がなく、容易にカゴを吊ることが可能なエレベータのカゴ固定装置を得ることを目的とする。
【課題を解決するための手段】
【０００７】
この発明に係るエレベータのカゴ固定装置は、エレベータの昇降路内に立設されたガイドレールと、ガイドレールの上端部にレールクリップおよびボルトを介して固定された支持部材と、支持部材に設けられたカゴ吊用穴と、カゴ吊用穴に着脱自在に設けられたカゴ吊具と、を備え、支持部材は、ガイドレールの上端部に固定された支持ブラケットと、支持ブラケットに固定されたコの字金具と、により構成され、支持ブラケットは、ガイドレールの上端部の上方で直角に曲げられた上端湾曲部を有し、コの字金具は、上端湾曲部とガイドレールとの間で、上端湾曲部内のガイドレールの上端部と向き合う面において、ガイドレールを覆うように支持ブラケットに固定されるとともに、両側フランジ部にカゴ吊用穴を有するものである。
【発明の効果】
【０００８】
この発明によれば、レールクリップを介して支持部材をガイドレール２に固定し、ガイドレールの上端部に載置した支持部材のコの字金具でカゴを吊ることにより、ガイドレールの上端部付近にカゴ吊用穴を加工する必要がなくなり、昇降路の頂部に専用の揚重用梁が無い場合においても、容易にカゴを吊ることができる。
【図面の簡単な説明】
【０００９】
【図１】この発明の実施の形態１に係るエレベータのカゴ固定装置を示す側面図および正面図である。
【図２】図１内の支持部材のみを示す側面図および正面図である。
【図３】この発明の実施の形態２によるエレベータのカゴ固定装置の支持部材のみを示す側断面図である。
【発明を実施するための形態】
【００１０】
実施の形態１．
以下、図面を参照しながら、この発明の実施の形態１について説明する。
図１はこの発明の実施の形態１に係るエレベータのカゴ固定装置を示しており、図１（ａ）は側面図、図１（ｂ）は正面図である。
また、図２は図１内の支持部材のみを示しており、図２（ａ）は側面図、図２（ｂ）は正面図である。
【００１１】
図１において、エレベータのカゴ固定装置は、エレベータの昇降路１内に立設されたガイドレール２と、昇降路１の内壁に一体的に設けられたレールブラケット３と、ガイドレール２をレールブラケット３の先端部に固定するレールクリップ４およびボルト５と、昇降路１の頂部１ａ側においてガイドレール２の先端部に設けられた支持ブラケット６と、支持ブラケット６をガイドレール２に固定するレールクリップ１４およびボルト１５と、支持ブラケット６の上端湾曲部内に固定されたコの字金具７と、コの字金具７の両側フランジ部７ａに設けられたカゴ吊用穴７ｂと、カゴ吊用穴７ｂに着脱自在に設けられたカゴ吊具８と、を備えている。
【００１２】
カゴ吊具８は、エレベータの据付時や改修時などにおいて、カゴ吊用穴７ｂに設けられる。
なお、カゴ吊用穴７ｂに固定されるカゴ吊具８（チェーンブロックなど）については、前述の特許文献１などに記載された公知手段なので、ここでは詳述を省略する。
【００１３】
支持ブラケット６、コの字金具７およびカゴ吊具８は、エレベータのカゴ（図示せず）の支持部材を構成しており、カゴ吊具８には、ワイヤを介してカゴが吊り下げられることにより、図１内の破線矢印方向に吊り荷重が作用する。
なお、コの字金具７は、溶接（または、図示しないボルト）により支持ブラケット６に固定されている。
【００１４】
ガイドレール２の両側端部は、レールブラケット３の先端部に、レールクリップ４を介してボルト５を螺合することにより、レールブラケット３の先端部とレールクリップ４との間に挟まれて、レールブラケット３の先端部に一体的に固定されている。
【００１５】
図２において、支持ブラケット６の中央部には、ガイドレール２の両側端部と接する位置に対応するように、レールクリップ取付穴６ａが設けられている。
支持ブラケット６は、レールクリップ取付穴６ａにおいて、ガイドレール２とともにレールクリップ１４を介してボルト１５（図１参照）でナット螺合されることにより、ガイドレール２に一体的に固定されている。
【００１６】
図１、図２に示すように、支持ブラケット６は、ガイドレール２の上端部を覆うように直角に曲げられた上端湾曲部を有しており、コの字金具７は、上端湾曲部内のガイドレール２の上端部と向き合う面に、ガイドレール２を覆う（コの字の開口部が下側を向く）ように固定されている。
【００１７】
すなわち、支持ブラケット６は、コの字金具７の上部（カゴ吊用穴７ｂが設けられていない面）がガイドレール２の上端部と接するように、ガイドレール２にレールクリップ１４を介して位置決めされている。
なお、ガイドレール２と支持部材との間にハサミ金を挿入して位置を調整することも可能である。
【００１８】
前述のように、従来装置においては、エレベータの据付時や巻上ロープ交換時に、巻上ロープ以外のワイヤなどでエレベータのカゴを吊る際に、揚重用の梁を利用するか、またはガイドレール２にあらかじめ直接加工されたカゴ吊用穴を利用していたので、多大な作業労力を要していた。
【００１９】
これに対し、図１、図２に示したこの発明の実施の形態１においては、エレベータの昇降路１内に立設されたガイドレール２と、ガイドレール２の上端部にレールクリップ１４およびボルト１５を介して固定された支持部材と、支持部材に設けられたカゴ吊用穴７ｂと、カゴ吊用穴７ｂに着脱自在に設けられたカゴ吊具８と、を備えている。
【００２０】
支持部材は、ガイドレール２の上端部に固定された支持ブラケット６と、支持ブラケット６に溶接またはボルト（図示せず）により固定されたコの字金具７と、により構成されている。
支持ブラケット６は、ガイドレール２の上端部を覆うように直角に曲げられた上端湾曲部を有し、コの字金具７は、上端湾曲部内のガイドレール２の上端部と向き合う面において、ガイドレール２を覆うように支持ブラケット６に固定されるとともに、両側フランジ部７ａにカゴ吊用穴７ｂを有する。
【００２１】
これにより、カゴ吊用穴をガイドレール２の上端部付近に加工する必要がなく、支持部材をレールクリップで固定し、ガイドレール２の上端部に乗せた支持部材のコの字金具７のカゴ吊用穴７ｂを用いて、カゴを吊ることが可能となる。
また、昇降路１の頂部１ａに専用の揚重用梁が存在しない場合であっても、支持ブラケット６およびコの字金具７からなる支持部材を介して、容易にカゴを吊ることが可能とする。
【００２２】
また、エレベータのガイドレール２を新規に取り付ける際（新設、改修時）にも、事前にガイドレール２にカゴ吊用穴を加工する手間および時間が不要となるうえ、ガイドレール２でのカゴ吊用穴の有無が無関係となるので、ガイドレール２の種別を区別して管理する手間も不要となり、作業労力を軽減することが可能となる。
また、改修で既設のガイドレール２を流用する場合においても、現地でガイドレール２に穴を追加加工する必要が無くなり、エレベータ改修工事の手間および時間を大幅に削減することができる。
【００２３】
さらに、支持部材のコの字金具７をガイドレール２の上端部に乗せて設置するので、ガイドレール２の上端部においてカゴ吊荷重を保持することが可能となり、支持部材が落下することなく、確実にカゴを固定することができる。
【００２４】
なお、図１、図２においては、支持部材として支持ブラケット６およびコの字金具７を用いたが、コの字金具７を省略して支持ブラケット６のみで構成し、支持ブラケット６の上端湾曲面（ガイドレール２の上端部と接する面）にカゴ吊用穴を直接設けることも可能である。
【００２５】
この場合、支持部材は、ガイドレールの上端部に固定された支持ブラケット６により構成され、支持ブラケット６は、ガイドレール２の上端部を覆うように直角に曲げられた上端湾曲部を有するとともに、上端湾曲部内のガイドレール２の上端部と向き合う面にカゴ吊用穴を有することになる。
【００２６】
ただし、昇降路１の寸法が小さく、支持部材と昇降路１との間隔が狭い場合には、カゴ吊具８（およびワイヤや冶具など）を取り付けることが困難になる可能性があるので、図１、図２のように、コの字金具７を用いることが望ましい。
【００２７】
実施の形態２．
なお、上記実施の形態１（図１、図２）では、溶接またはボルトによりコの字金具７を支持ブラケット６に固定したが、図３のように、支持ブラケット１６の貫通穴１６ａにコの字金具１７のフック部１７ｃを係合させて、はめ込み構造としてもよい。
【００２８】
図３はこの発明の実施の形態２に係るエレベータのカゴ固定装置の支持部材のみを示す側断面図（図２内のＡ−Ａ’線による）であり、図３（ａ）はコの字金具１７を支持ブラケット１６に取り付ける前の状態、図３（ｂ）はコの字金具１７を支持ブラケット１６に取り付け中の状態、図３（ｂ）はコの字金具１７を支持ブラケット１６に取り付けた後の状態、をそれぞれ示している。
【００２９】
図３において、符号１６、１７、１７ａ、１７ｂで示すものは、前述（図１、図２参照）の支持ブラケット６、コの字金具１７、両側フランジ部７ａ、カゴ吊用穴７ｂ、にそれぞれ対応している。また、図示しない構成は、図１および図２に示した通りである。
【００３０】
この場合、支持ブラケット１６のガイドレール２（図１参照）の背面側の面には、貫通穴１６ａが設けられている。
また、コの字金具１７の両側フランジ部１７ａの一端には、フック状に加工したフック部１７ｃが設けられている。
フック部１７ｃは、図３（ａ）→図３（ｂ）→図３（ｃ）のように、破線矢印の方向に移動されて、支持ブラケット１６の貫通穴１６ａに噛み合わせられて係合固定される。
【００３１】
この発明の実施の形態２（図３）によれば、支持ブラケット１６は、ガイドレール２の背面と接する側のコの字金具１７との対向面に貫通穴１６ａを有し、コの字金具１７は、両側フランジ部１７ａの一端において貫通穴１６ａに係合するフック部１７ｃを有し、フック部１７ｃを貫通穴１６ａに係合させることにより、支持ブラケット１６に固定されている。
【００３２】
また、上記実施の形態１、２では、特に言及しなかったが、図１〜図３の構成において、支持部材を構成する支持ブラケット６、１６の下端部を、ガイドレール２の対向側とは逆方向に直角に曲げることにより曲折部（図示せず）とし、エレベータ機器取付用の梁を設置するための取付台を兼ねることも可能となる。
【符号の説明】
【００３３】
１  昇降路、１ａ  昇降路の頂部、２  ガイドレール、３  レールブラケット、４、１４  レールクリップ、５、１５  ボルト、６、１６  支持ブラケット、６ａ  レールクリップ取付穴、７、１７  コの字金具、７ａ、１７ａ  両側フランジ部、７ｂ、１７ｂ  カゴ吊用穴、８  カゴ吊具、１６ａ  貫通穴、１７ｃ  フック部。
【図１】
0005748558.tif 000002
【図２】
0005748558.tif 000003
【図３】
0005748558.tif 000004